(57)【要約】【課題】  施錠時におけるハンドルやノブの不用意な操作によっても不都合が生じない錠止機構を提供する。【解決手段】  ロッキングボード５を短くすると共に、元のロッキングボードとほぼ同じ長さのサブロッキングボード１８の基端をロッキングボード５と同軸に、かつロッキングバーと相対回動可能に設け、このサブロッキングボード１８をロッキングボードに関しデッドボルトに近接する方向に付勢し、一方、デッドボルト１の段部がロッキングボードの先端の軌跡と交差する位置より内方にあるとき、ロッキングレバー１５の他端によって切替駆動される制御スイッチ２１により、モータへの施錠方向の電流を遮断する。【選択図】  図４
2009180070.tif 000002
【特許請求の範囲】
【請求項１】
錠箱内においてフロント板に垂直な前後方向に移動可能に案内されると共に、フロント板から外方に突出する方向に付勢されたデッドボルトと、錠箱の側板に平行な平面内で回動可能に支承され、円弧状の駆動溝を形成すると共に、磁石クラッチ及び減速機を介してモータに連結されたセクターギアと、上記デッドボルトの近傍に配設されたＶ字形のレバー体で、錠箱の側板に平行な平面内で回動可能に支承されると共に、その一端に植設された係合ピンを上記駆動溝に係合させたロッキングレバーと、一端をロッキングレバーと同軸に、かつ相互に独立に回動可能に支承され、他端をデッドボルトの段部に係合可能に臨ませると共に、ロッキングレバーとの間に弾装された捩りコイルばねとしての連結ばねの弾力により、他端をロッキングレバーに関しデッドボルトから離間する方向に付勢されたロッキングボードとを有し、このロッキングボードとロッキングレバーとの間にストッパーを設け、ロッキングレバーが施錠方向に回動するとき、ロッキングレバーが直接かつ強制的にロッキングボードをデッドボルトの段部と係合する方向に駆動するようにすると共に、施錠時、施錠方向に回動するセクターギアの駆動溝とロッキングレバーの係合ピンとの相対移動により、ロッキングレバーを介してロッキングボードの他端をデッドボルトの段部に係合するように駆動するものにおいて、ロッキングボードを短くすると共に、元のロッキングボードとほぼ同じ長さのサブロッキングボードの基端をロッキングボードと同軸に、かつロッキングバーと相対回動可能に設け、このサブロッキングボードをロッキングボードに関しデッドボルトに近接する方向に付勢し、一方、デッドボルトの段部がロッキングボードの先端の軌跡と交差する位置より内方にあるとき、ロッキングレバーの他端によって切替駆動される制御スイッチにより、モータへの施錠方向の電流を遮断するようにしたことを特徴とする電気錠の錠止機構。
【発明の詳細な説明】
【技術分野】
【０００１】
この発明は、電気錠の錠止機構（以下単に錠止機構という）の改良に係り、特に、施錠時におけるハンドルやノブの不用意な操作によっても不都合が生じない錠止機構に関する。
【背景技術】
【０００２】
電気錠の錠止機構は、従来種々のものが提案され実用されているが、下記特許文献１に記載された錠止機構が作動が確実なものとして多用され始めた。
【０００３】
下記特許文献１に記載された電気錠と作動原理を同じくする電気錠を示す図１において、符号１はデッドボルトを示し、このデッドボルト１は付勢ばね２の弾力により、常時錠箱３のフロント板４から外方（左方）に突出する方向に付勢されている。
【０００４】
そして、図１に示す施錠状態では、デッドボルト１の上面段部１０（図２参照）と係合するロッキングボード５により、図示の施錠状態に保持される。
【０００５】
ちなみに、図１に示す電気錠は、錠箱３内に揺動可能に案内された永久磁石６を有し、この永久磁石６は、閉扉時、扉枠に装着され、上記永久磁石６と同磁極で対峙する他の図示しない永久磁石との間に生じる磁気反発力により、図１で反時計方向に回動するので、この永久磁石６に駆動されて、リリースレバー７が時計方向に回動し（図２参照）、それ迄図１に示す施錠状態に保持していたデッドボルト１を自由にする。
【０００６】
そして、電気錠の制御回路から解錠信号が発生すると、例えばマイクロモータ等のモータ８が解錠方向に回動し、上記ロッキングボード５を時計方向に駆動してデッドボルト１を完全に自由にするので、扉のハンドルやノブに連結されたリトラクター９を時計方向に回すことにより、図２に示すように、デッドボルト１を完全に錠箱内に引っ込め、扉を開けることができるようになる。
【０００７】
なお、閉扉時、上記永久磁石５と扉枠に装着された永久磁石との磁気反発力によりデッドボルト１を自由にする構造は、下記特許文献２に記載されていて周知であるから、更に詳細な説明は省略する。
【特許文献１】特開２００２−１８０７１４
【特許文献２】特開平５−２２２８７２号
【発明の開示】
【発明が解決しようとする課題】
【０００８】
構造及び作用を簡単に述べ、図１及び図２に示した電気錠は、解錠時、ロッキングボード５は図２に示すようにデッドボルト１の段部と係合しない角度位置にあり、デッドボルト１は、図１に示すように図示しない扉枠のストライク孔に投入された状態にある。
【０００９】
施錠信号が制御回路に供給されると、モータ８が施錠方向に回動し、その出力軸に装着されたウオームギア１１（図２参照）が第１平歯車１２を反時計方向に駆動する。
【００１０】
この第１平歯車１２は、付番しない磁石クラッチを介してセクターギア１３を一体的に駆動するが、このセクターギア１３には円弧状の駆動溝１４が開口している。
【００１１】
上記したように第１平歯車１２とセクターギア１３とを磁石クラッチを介して連結する理由は、モータへの電流の遮断時回転系に残る慣性エネルギーを磁石クラッチの滑りにより吸収するためである。
【００１２】
一方、前記ロッキングボード５と同軸に、全体の形状がＶ字形のロッキングレバー１５が回動自在に支承されており、その一端（図２で右端）に植設された付番しない係合ピン２０（図２参照）が上記駆動溝１４に係合し、他端は付番しない回路制御用のマイクロスイッチに係合可能に臨んでいる。
【００１３】
他方、ロッキングボード５とロッキングレバー１５とは相互に独立に回動できるように支承されているが、これらの間には捩りコイルばねとしての連結ばね１６が弾装されている。
【００１４】
そして、後述するように、ロッキングレバー１５の施錠方向（図２で反時計方向）の回動時にはロッキングレバー１５が直接かつ強制的にロッキングボード５をデッドボルト１の段部と係合する方向に駆動するが、解錠方向の回動時には連結ばね１６を介してロッキングボード５を図２で時計方向に駆動する。
【００１５】
そのため、施錠時ハンドルを操作して図２に示すようにデッドボルトを錠箱内に引っ込めると、モータ８が施錠方向に回動してロッキングボード５をデッドボルト１の背中（上面）に押し付けるので、また、磁石クラッチの出力トルクが付勢ばね２の弾力より大きいので、ハンドルから手を離してもデッドボルト１がストライク孔に投入されず、施錠できなくなる、という不都合が生じる。
【００１６】
この不都合は、閉扉時永久磁石の磁気反発力を利用してリリースレバー７を制御する機構を有しない電気錠においても同様である。
【００１７】
そこで、この発明は、施錠時にハンドルやノブを不用意な操作したときにはモータに電流が流れないようにし、以て上記した不都合を防止できる錠止機構を提供することを目的としている。
【課題を解決するための手段】
【００１８】
上記の目的を達成するため、請求項１に記載の発明は、錠箱内においてフロント板に垂直な前後方向に移動可能に案内されると共に、フロント板から外方に突出する方向に付勢されたデッドボルトと、錠箱の側板に平行な平面内で回動可能に支承され、円弧状の駆動溝を形成すると共に、磁石クラッチ及び減速機を介してモータに連結されたセクターギアと、上記デッドボルトの近傍に配設されたＶ字形のレバー体で、錠箱の側板に平行な平面内で回動可能に支承されると共に、その一端に植設された係合ピンを上記駆動溝に係合させたロッキングレバーと、一端をロッキングレバーと同軸に、かつ相互に独立に回動可能に支承され、他端をデッドボルトの段部に係合可能に臨ませると共に、ロッキングレバーとの間に弾装された捩りコイルばねとしての連結ばねの弾力により、他端をロッキングレバーに関しデッドボルトから離間する方向に付勢されたロッキングボードとを有し、このロッキングボードとロッキングレバーとの間にストッパーを設け、ロッキングレバーが施錠方向に回動するとき、ロッキングレバーが直接かつ強制的にロッキングボードをデッドボルトの段部と係合する方向に駆動するようにすると共に、施錠時、施錠方向に回動するセクターギアの駆動溝とロッキングレバーの係合ピンとの相対移動により、ロッキングレバーを介してロッキングボードの他端をデッドボルトの段部に係合するように駆動するものにおいて、ロッキングボードを短くすると共に、元のロッキングボードとほぼ同じ長さのサブロッキングボードの基端をロッキングボードと同軸に、かつロッキングバーと相対回動可能に設け、このサブロッキングボードをロッキングボードに関しデッドボルトに近接する方向に付勢し、一方、デッドボルトの段部がロッキングボードの先端の軌跡と交差する位置より内方にあるとき、ロッキングレバーの他端によって切替駆動される制御スイッチにより、モータへの施錠方向の電流を遮断するようにしたことを特徴とする。
【発明の効果】
【００１９】
上記のように構成された請求項１に記載の発明は、施錠時、ハンドルやノブを介してデッドボルトを引っ込めようとする動作に対し、デッドボルトの段部がロッキングボードの回動軌跡より内方の位置にまで移動すると、モータへの施錠方向の電流が遮断されるので、モータに連結されたロッキングボードの先端がデッドボルトに押し付けられることがなく、したがってデッドボルトがロックされることによる前記の不都合を完全に防止することができる。
【００２０】
一方、デッドボルトの段部がロッキングボードの回動軌跡より前方の位置にあるときモータが回ると、サブロッキングボードの先端がデッドボルトに乗り上がり、ロッキングボードの先端が回動してデッドボルトの段部より内方に位置することになるが、この場合にはロッキングボードの先端がデッドボルトに乗り上がることがなく、また、それ以上ロッキングボードは回動しないので、デッドボルトがロッキングによりロックされることはない。
【００２１】
他方、この状態でハンドル等から手を離しデッドボルトを自由にすると、デッドボルトは付勢ばねの弾力により前進し、その結果、サブロッキングボードがその付勢力によりデッドボルトの段部の内方に落込み、今度は従来のロッキングボード同じ長さのサブロッキングボードがデッドボルトを係止することになるので、施錠状態においてデッドボルトが長さ方向にガタつくことがない、等種々の効果を奏する。
【発明を実施するための最良の形態】
【００２２】
ロッキングボードを短くすると共に、元のロッキングボードとほぼ同じ長さのサブロッキングボードの基端をロッキングボードと同軸に、かつロッキングバーと相対回動可能に設け、このサブロッキングボードをロッキングボードに関しデッドボルトに近接する方向に付勢し、一方、デッドボルトの段部がロッキングボードの先端の軌跡と交差する位置より内方にあるとき、ロッキングレバーの他端によって切替駆動される制御スイッチにより、モータへの電流を遮断するようにしたので、ロッキングボードがデッドボルトに乗り上がった後にモータが回転することによるデッドボルトのロック現象を完全に防止できた。
【実施例１】
【００２３】
以下、この発明の一実施例を図面を参照して説明する。
なお、図１及び図２に示す従来のロック機構は、前記特許文献１及び２に詳細に記載されているので、この実施例では本発明によって付加された構成について述べる。
【００２４】
図３において符号１３はセクターギアを示し、このセクターギア１３は図１及び図２に示すものと同じであり、このセクターギア１３は、これと噛み合うデッドギア１７を介して、図示しないシリンダ錠或いはサムターンに連結されている。
【００２５】
このセクターギア１３には、また、円弧状の駆動溝１４が開口していることは前述したとおりである。
【００２６】
そして、この駆動溝１４は、その一端（図３で右端）がセクターギアの外周部に、他端が回動中心に近接するようにその形状及び寸法が設定されており、この駆動溝１４に前記ロッキングレバー１５の一端に植設された付番しない係合ピンが係合している。
【００２７】
その結果、駆動溝１４及び係合ピンは確動カム装置を構成することになり、図３に示すように係合ピンが駆動溝１４の他端に位置するときには、ロッキングレバー１５が時計方向に回動し、ロッキングレバーの回動に従動して、後述のサブロッキングバー及びロッキングレバー１５も同方向に回動し、サブロッキングバー及びロッキングレバー１５の自由端（図３で左端）がデッドボルトの段部から離間して図３に示す解錠状態になる。
【００２８】
反対に、セクターギアがモータに駆動されて反時計方向に回動するときには、ロッキングレバー１５の他端或いはサブロッキングボードの自由端がデッドボルト１の段部と係合し、施錠状態となる（図４及び図５参照）。
【００２９】
本願発明の特徴的構成、すなわち、従来のロック機構と異なる構成は、前記したように、ロッキングボードを短くすると共に、元のロッキングボードとほぼ同じ長さのサブロッキングボードの基端をロッキングボードと同軸に、かつロッキングバーと相対回動可能に設け、このサブロッキングボードをロッキングボードに関しデッドボルトに近接する方向に付勢し、一方、デッドボルトの段部がロッキングボードの先端の軌跡と交差する位置より内方にあるとき、ロッキングレバーの他端によって切替駆動される制御スイッチにより、モータへの施錠方向の電流を遮断するようにしたことにある。
【００３０】
すなわち、図３乃至図５に示すように、ロッキングバー１５の長さを従来のものより短くし、一方、元のロッキングボードとほぼ同じ長さのサブロッキングボード１８の基端をロッキングボードと同軸に、かつロッキングバーと相対回動可能に設ける。
【００３１】
このサブロッキングボード１８は、例えば、先端を紙面方向に折り曲げて付番しない係合片を形成した厚肉レバー体で、捩りコイルばねとしてのサブロッキングボードばね１９（図４参照）の弾力により、ロッキングボード１５に関しデッドボルト１に近接する方向に付勢されている。
【００３２】
なお、図示の実施例では、ロッキングボード１５とサブロッキングボード１８との間に図示しないストッパーを設け、サブロッキングボード１８に外力が作用しない自然状態において、サブロッキングボード１８はロッキングボード１５に対し、図３又は図５に示す相対角度位置を保つ。
【００３３】
一方、図３乃至図５に示すように、ロッキングレバー１５の他端の回動軌跡とアクチュエータが干渉するように、制御スイッチ２１が錠箱内に配設されている。
【００３４】
図示の実施例では、電気錠の制御回路中に挿設された施解錠電流切替スイッチを制御スイッチとして利用している。
【００３５】
すなわち、制御回路が図３に示すように解錠モードのときには、制御スイッチ２１のアクチュエータがロッキングレバー１５の他端から解放されているときには、制御スイッチ２１は解錠電流を流すように切り替わっており、図４及び図５に示すように施錠モードのときには、制御スイッチ２１はロッキングレバー１５の他端に押圧されて施錠電流を流すように切り替わっている。
【００３６】
上記制御スイッチ２１の駆動は、ロッキングレバー１５を介して、デッドボルト１の移動によって行われる。
【００３７】
上記のように構成されたこの発明の一実施例によるロック機構は、図３に示すようにデッドボルト１を錠箱内に引っ込めた場合、より正確に言えば、デッドボルト１の段部がロッキングボード５の先端の軌跡と交差する位置より内方にあるときには、制御スイッチ２１が切り替わってモータへの施錠方向の電流が遮断されるので、モータは施錠方向には回動せず、したがってロッキングボード５がデッドボルト１に押し付けられてデッドボルト１をロックしてしまう、という従来のロック機構の不都合を解消することができる。
【００３８】
一方、デッドボルト１の段部がロッキングボード５の先端の軌跡と交差する位置より前方にあるか、又は、図４に示すようにロッキングボード５の先端の軌跡とほぼ交差する位置にあるときには、上記制御スイッチ２１がモータに施錠方向の電流を供給できるように切り替わっているから、前記した機構によりロッキングレバー１５は反時計方向に回動し、ロッキングボード５の先端がデッドボルト１の段部と係合する（図４参照）。
【００３９】
このときにはサブロッキングボード１８がデッドボルト１の背中に乗り上がるが、サブロッキングボード１８の付勢力は小さいので、付勢ばね２の弾力によってデッドボルトはフロント板から突出可能、すなわち、この電気錠は施錠可能である。
【００４０】
図４に示す状態において、ハンドルを操作している手を弛め、或いはハンドルから手を離すと、デッドボルトは付勢ばねの弾力によって前進し、サブロッキングボード１８の先端はデッドボルトの段部と係合するに致る（図５参照）。
【００４１】
図５に示す状態では、デッドボルト１は前後方向にガタつくことがないことは言うまでもない。
【００４２】
デッドボルト１が完全に突出した状態でモータに施錠電流が流れると、ロッキングボード５及びサブロッキングボード１８は一体的に反時計方向に回動し、サブロッキングバー１８の先端がデッドボルト１の段部に係合する。
【図面の簡単な説明】
【００４３】
【図１】従来の電気錠のロック機構を示す錠箱の側面図で、施錠状態を示す。
【図２】従来の電気錠のロック機構を示す錠箱の側面図で、解錠状態を示す。
【図３】この発明の一実施例によるロック機構を、図面を明瞭にするため一部の機構を省略して示す側面図で、解錠状態を示す。
【図４】この発明の一実施例によるロック機構を、図面を明瞭にするため一部の機構を省略して示す示す側面図で、ロッキングボードによる施錠状態を示す。
【図５】この発明の一実施例によるロック機構を側面図で、サブロッキングボードによる施錠状態を示す。
【符号の説明】
【００４４】
１  デッドボルト
２  付勢ばね
３  錠箱
４  フロント板
５  ロッキングボード
６  永久磁石
７  リリースレバー
８  モータ
９  リトラクタ
１０  段部
１１  ウオームギア
１２  第１平歯車
１３  セクターギア
１４  駆動溝
１５  ロッキングレー
１６  連結ばね
１７  デッドギア
１８  サブロッキングボード
１９  サブロッキングバーばね
２０  係合ピン
２１  制御スイッチ
【図１】
2009180070.tif 000003
【図２】
2009180070.tif 000004
【図３】
2009180070.tif 000005
【図４】
2009180070.tif 000006
【図５】
2009180070.tif 000007